(57)【要約】【課題】  人形の胴部と腕部と足部を二以上の部品で着脱且つ回動可能に組み合わせる。【解決手段】  少なくとも、着脱且回動可能に連結した胸部２と腰部６とからなる胴部１と、着脱且回動可能に連結した肩部１２とアーム部１４と手首部１７とからなる腕部１０と、着脱且回動可能に連結した上太股部２１と脚部２２とからなる足部１８とで構成した柔軟樹脂材からなる第１素体Ａと、着脱且回動可能に連結した第２胸部２ａと第２腰部６ａとからなる第２胴部１ａと、着脱且回動可能に連結した肩部１２と第２アーム部１４ａと第２手首部１７ａとからなる第２腕部１０ａと、着脱且回動可能に連結した上太股部２１と膝部分に設けた膝下部２５を有した上脚部２４と足首部を有した下脚部２７とで形成した足部１８ａとで構成した柔軟樹脂材からなる第２素体からなり、必要な部品を交換して組み合わせることにとりポーズを様々に変化させることができる。【選択図】  図１
0003118758.tif 000002
【実用新案登録請求の範囲】
【請求項１】
少なくとも背を伸ばした状態で着脱且回動可能に連結した胸部（２）と腰部（６）とからなる胴部（１）と、略真直ぐ伸ばした状態で着脱且回動可能に連結した肩部（１２）と略真直ぐ伸びた形のアーム部（１４）と手首部（１７）とからなる腕部（１０）と、略真直ぐ伸ばした状態で着脱且回動可能に連結した上太股部（２１）と略真直ぐに伸ばした脚部（２２）とからなる足部（１８）とで構成した柔軟樹脂材からなる第１素体（Ａ）と、
背を前かがみにした状態で着脱且回動可能に連結した第２の胸部（２ａ）と第２の腰部（６ａ）とからなる第２の胴部（１ａ）と、やや折り曲げた状態で着脱且回動可能に連結した肩部（１２）とやや折り曲げた形の第２のアーム部（１４ａ）と第２の手首部（１７ａ）とからなる第２の腕部（１０ａ）と、膝を折り曲げた状態で着脱且回動可能に連結した上太股部（２１）と膝部分を折り曲げた状態になるような角度に設けた膝下部（２５）を有した上脚部（２４）と足首部を有した下脚部（２７）とで形成した第２の足部（１８ａ）とで構成した柔軟樹脂材からなる第２素体（Ｂ）とからなり、
好みの形になるように前記第１素体（Ａ）および第２素体（Ｂ）を構成する胴部（１、１ａ）と腕部（１０、１０ａ）と足部（１８、１８ａ）とをそれぞれ着脱且回動可能に連結し、前記胴部の上部両側に腕部の上部を着脱且回動可能に連結し、前記腰部の斜端面（６ｄ、６ｄ）に前記足部を着脱且回動可能に連結して胴部と腕部と足部の各嵌合部を回動させると共に、前記胴部を組み立てる胸部及び腰部と前記腕部を構成する肩部及びアーム部と前記足部を構成する上太股部及び脚部との各嵌合部を回動させて変更できるようにした軟質樹脂製人形。
【請求項２】
前記胴部（１、１ａ）は、上部に頭部を取り付ける首部を有した胸部（２、２ａ）の上部両側に円形をした嵌合穴部（４、４）をそれぞれ設け、さらに、胸部分の下側に位置した胸部下部に外方に突出させて円形をした嵌合凸部（５）を設けると共に、該嵌合凸部（５）の端部壁面に切込溝を設けたことを特徴とする請求項１記載の軟質樹脂製人形。
【請求項３】
前記腕部（１０、１０ａ）は、前記胸部（２）の上部両側に設けた円形の嵌合穴部（４、４）に着脱且回動可能に連結させる円形をした嵌合凸部（１１、１１）を上部内側に設け、脇の下部分に位置した肩部下部に設けた円形をした嵌合穴部（１３）を設けた肩部（１２）と、前記嵌合穴部（１３）に着脱且回動可能に嵌合する円形をした嵌合凸部（１５）を上部に設けたアーム部（１４、１４ａ）の下部に設けた開口部（１６）に着脱且回動可能に取り付ける任意形状をした手首部（１７，１７ａ）とからなり、前記各嵌合凸部の端部壁面に切込溝を設けてなる請求項１記載の柔軟樹脂製人形。
【請求項４】
前記足部（１８）は、前記腰部（６）の下部両側に設けた斜端面（６ｄ、６ｄ）に設けた円形をした嵌合穴部（７、７）に着脱且回動可能に連結する、円形をした斜嵌合凸部（１９）を上部に設け、太股部分の略中間位置までの長さにした下端部に設けた円形状をした嵌合穴部（２０）を有した上太股部（２１）と、該上太股部の嵌合穴部（２０）に着脱且回動可能に連結させる円形をした嵌合凸部（２３）を上部に設けて略真直ぐ伸びて先端に足首部を有してなり、前記各嵌合凸部の端部壁面に切込溝を設けてなる請求項１記載の柔軟樹脂製人形。
【請求項５】
前記足部（１８ａ）は、前記腰部（６）の下部両側に設けた斜端面（６ｄ、６ｄ）に設けた嵌合穴部（７、７）に着脱且回動可能に連結する、円形をした斜嵌合凸部（１９）を上部に設け、該上脚部の略中間位置までの長さにした下端部に設けた円形状の嵌合穴部（２０）を有した上太股部（２１）と、該太股部の嵌合穴部（２０）に着脱且回動可能に連結させる円形をした嵌合凸部（２３）を上部に設け、該上脚部の長手方向に対して鋭角になるように形成した膝下部（２５）に設けた円形をした嵌合穴部（２６）を有した上脚部（２４）と、該嵌合穴部（２６）に着脱且回動可能に連結する嵌合凸部（２８）を上部に円形に下脚部を有して先端に足首部を有してなり、各嵌合凸部の端部壁面に切込溝を設けてなる請求項１記載の柔軟樹脂製人形。
【考案の詳細な説明】
【技術分野】
【０００１】
本考案は、軟質樹脂材で製作した小型の人形であって、二以上の部品を組合わせて形状の異なる胴部と腕部と足部とからなる少なくとも二種以上の人形素体からなり、様々なポーズに変化させることのできる人形に関する。
【背景技術】
【０００２】
最近、アニメ映画や漫画の主人公をモデルにした人形である美少女アニメ（フィギュア）を収集する趣味に人気が高まっている。このフィギュアのコレクターにとっては、ポーズの固定した様々な形をした人形を集めても自分好みのポーズをした人形を得ることは少なく、さらにこの種フィギュアの自分好みのポーズをした人形を収集したいという願望が生じる。そのため、ポーズが様々に変化した新しい人形が販売されるたびに、マニアにとっては自分の好みのポーズに近づいた人形を収集したいという目的を満足させるため、ますます新しい人形を他人よりも早く購入したいという願望を有している。
【０００３】
他方、１つの人形を様々なポーズに変化することができる人形もあるが、そのような複雑な機能を有する人形は関節部分の構造が複雑になってしまう。そして、この種の人形の手足が自由に動かせるように構成すると、複雑な動きをする膝関節などは複数の部品を組合わせて構成するため、その外側形状は複雑な形となって違和感が生じてしまう欠点を有している。その上、膝部分などの構造が複雑になるため人形の価格は必然的に高価になってしまう。さらに、ポーズが変化しない人形は、前記のように自分の好みに近い形の人形が出るたびに購入するためその購入費はトータルすると高価になってしまう。また、それらを収納する為に広い収納スペースを必要とするなど購入コストや収集した人形を収納する為の広いスペースを必要とする住宅事情などから、次第にこの種の人形を収集することができなくなるという問題点を有していた。
【０００４】
この種の人形はできるだけそのポーズ（形状）を人間に近づけるため、人形のボデーの表面を滑らかにする必要がある。特に、各関節部分は様々に折り曲がって微妙な角度を得るためには、複数の部品を組み合わせた複雑な構造となり、表面に余計な線模様が生じてしまい違和感が生じるという問題点を有していた（特許文献１を参照）。
【０００５】
さらに、この種の人形の手足等の各部品を組合わせるのに、一方に円形をした嵌合穴部、他方に等しく円形をした嵌合凸部を設けて着脱且回動可能に連結するという構成は、従来から知られている（特許文献２を参照）。
【特許文献１】特開２００４―７３５１４号公報
【特許文献２】実公昭３４−２０４１３号公報
【考案の開示】
【考案が解決しようとする課題】
【０００６】
本考案が解決しようとする課題は、従来のこの種の人形で関節を動かせる構造のものは、構造が複雑になるため高価になってしまい、さらに、動く機能を有した関節部分の形は違和感を生じて人形の形が不自然になってしまうという欠点を除去するため、形状が異なる人形を少なくとも二種以上用意し、人形を構成する胴部、腕部、足部を必要に応じて組合わせると共に、各嵌合部を回動させることにより広い範囲で人形の姿（ポーズ）を変化させて自分の好みの形状（ポーズ）に限りなく近づけるようにしたことを目的とするものである。
【課題を解決するための手段】
【０００７】
上記課題を達成するため、本考案は、少なくとも背を伸ばした状態で着脱且回動可能に連結した胸部２と腰部６とからなる胴部１と、略真直ぐ伸ばした状態で着脱且回動可能に連結した肩部１２と略真直ぐの伸ばしたアーム部１４と手首部１７とからなる腕部１０と、略真直ぐ伸ばした状態で着脱且回動可能に連結した上太股部２１と略真直ぐに伸ばした脚部２）とからなる足部１８とで構成した柔軟樹脂材からなる第１素体Ａと、背を前かがみにした状態で着脱且回動可能に連結した第２の胸部２ａと第２の腰部６ａとからなる第２の胴部１ａと、やや折り曲げた状態で着脱且回動可能に連結した肩部１２とやや折り曲げた形の第２のアーム部１４ａと第２の手首部１７ａとからなる第２の腕部１０ａと、膝を折り曲げた状態で着脱且回動可能に連結した上太股部２１と膝部分を折り曲げた状態になるような角度に設けた膝下部２５を有した上脚部２４と足首部を有した下脚部２７とで形成した第２の足部１８ａとで構成した柔軟樹脂材からなる第２素体Ｂとからなり、好みの形になるように前記第１素体Ａおよび第２素体Ｂを構成する胴部１、１ａと腕部１０、１０ａと足部１８、１８ａとをそれぞれ着脱且回動可能に連結し、前記胴部の上部両側に腕部の上部を着脱且回動可能に連結し、前記腰部の斜端面６ｄ、６ｄに前記足部を着脱且回動可能に連結して胴部と腕部と足部の各嵌合部を回動させると共に、前記胴部を組み立てる胸部及び腰部と前記腕部を構成する肩部及びアーム部と前記足部を構成する上太股部及び脚部との各嵌合部を回動させてポーズを変更できるようにしたことを特徴とする。
【０００８】
前記胴部１、１ａは、上部に頭部を取り付ける首部を有した胸部２、２ａの上部両側に円形をした嵌合穴部４、４をそれぞれ設け、さらに、胸部分の下側に位置した胸部下部に外方に突出させて円形をした嵌合凸部５を設けると共に、該嵌合凸部５の端部壁面に切込溝を設けたことを特徴とする。また、前記腕部１０、１０ａは、前記胸部２の上部両側に設けた円形の嵌合穴部４、４に着脱且回動可能に連結させる嵌合凸部１１、１１を上部内側に設け、脇の下部分に位置した下部に設けた円形をした嵌合穴部１３を設けた肩部１２と、前記嵌合穴部１３に着脱且回動可能に嵌合する円形をした嵌合凸部１５を上部に設けた前記アーム部１４、１４ａの下部に設けた開口部１６に着脱且回動可能に取り付ける任意形状をした手首部１７、１７ａとからなり、前記各嵌合凸部の端部壁面に切込溝を設けてなることを特徴とする。
【０００９】
前記足部１８は、前記腰部の下部両側に設けた斜端面６ｄ、６ｄに設けた円形をした嵌合穴部７、７に着脱且回動可能に連結する、円形をした斜嵌合凸部１９を上部に設け、太股部分の略中間位置までの長さにした下端部に設けた円形状をした嵌合穴部２０を有した上太股部２１と、該上太股部の嵌合穴部２０に着脱且回動可能に連結させる円形をした嵌合凸部２３を上部に設けて略真直ぐ伸びて先端に足首部を有してなり、前記各嵌合凸部の端部壁面に切込溝を設けてなることを特徴とする。また、前記足部１８ａは、前記腰部６の下部両側に設けた斜端面６ｄ、６ｄに設けた嵌合穴部７、７に着脱且回動可能に連結する、円形をした斜嵌合凸部１９を上部に設け、太股部分の略中間位置までの長さにした下端部に設けた円形をした嵌合穴部２０を有した上太股部２１と、該太股部の嵌合穴部２０に着脱且回動可能に連結させる円形をした嵌合凸部２３、２３を上部に設け、該上脚部の長手方向に対して角度を有して設けた膝下部２５に設けた円形をした嵌合穴部２６を有した上脚部２４と、該嵌合穴部２６に着脱且回動可能に連結する嵌合凸部２８を上部に円形に下脚部２７を有して先端に足首部を有してなり、各嵌合凸部の端部壁面に切込溝を設けてなることを特徴とする。
【００１０】
上記のように構成したため、胴部、腕部、足部はそれぞれ嵌合凸部及び嵌合穴部を嵌合させ、かつ、同心に形成してあるので、着脱可能に連結すると共に、接合面を互いに回動してずらせて微妙な角度を得ることができる。その上、前記胴部、腕部、足部は、それぞれ２物品以上の部品で構成してあるので、嵌合部分である関節部分の他に、胴部、腕部、足部の略中間部分に於いて着脱可能に連結して回動できるため、胴部や腕部や足部をあたかも捻った状態のように変化させることもできる。
【考案の効果】
【００１１】
本考案は、胴部、腕部、足部の目立たない中間部分で着脱且回動可能に連結させる構成にしたことにより、嵌合部分を着脱交換または回動させて広範囲にホーズを変化させることができ、且つ、その変化した状態を保つことができる利点がある。
【考案を実施するための最良の形態】
【００１２】
本考案の実施の形態を図面により説明すると、図１〜７は立ちポーズをした人形を示し、図８〜１０は座りポーズをした人形を示す。図１は人形の頭部を取外した立ちポーズ人形の正面図、図２は図１の左側面図、図３は腕の取り付け部分の一部破断した拡大図、図４は腰部分の拡大断面図、図５は腰部の断面図、図６は上太股部と下太股部及び下肢部戸からなる一方の足部を取り外した図１のＸ矢視図、図７は上太股部と下太股部及び下肢部を略直線状に形成した足部の正面図、図８は人形の頭部を取り外した座りポーズ人形の正面図、図９は図８の左側面図、図１０は座りポーズ人形の腕部を除去した足部の分解図である。
【００１３】
本考案は柔軟な合成樹脂材からなり、胴部、腕部、足部をそれぞれ２以上の部品を組み合わせて構成してあり、立ちポーズや座りポーズのように人形の形状の異なる、少なくとも二種以上の人形素体からなり、その上、各着脱部分は部品ごとの寸法を同じに形成して交換可能であり、且つ、連結部分も回動できるように構成してある。
【００１４】
立ちポーズをした人形である第１素体Ａの胴部１は、胸を張って直立した状態であるため胸部２も腰部６も直立した状態で、この胸部２の上部両側には正面から見て斜め状に形成した斜平坦面３、３に、円形状をした嵌合穴部４をそれぞれ形成し、さらに、胸部２の下部には下方に突出した嵌合凸部５を円形状に設けてある。この胸部２は上部に交換可能に取り付ける頭部を省略してある。さらに、直立した状態で胸部下部から股部８までの長さをした腰部６の上部に円形をした嵌合穴部７を形成し、また、前記股部８の両側から斜め上方に略Ｖ字状になるように形成した斜端面６ｄ、６ｄに円形状をした斜嵌合穴部９、９を設けてある。
【００１５】
１０は腕部で、前記胸部２の上部両側に設けた嵌合穴部４に着脱且回動可能に嵌合させる嵌合凸部１１を肩部の上部内側平面に設けて、肩と脇の下部分までの腕上部とからなる短い肩部１２と、略直線状に延ばしたアーム部１４とからなる。この肩部１２は腕の上部をなすもので、その下端には円形をした嵌合穴部１３を形成してある。また、前記アーム部１４の上部に設けた円形状の嵌合凸部１５を、前記嵌合穴部１３に着脱且回動可能に連結して腕部１０を形成してある。このアーム部１４の下端に設けた開口部１６に、指先を伸ばして任意形状をした手首部１７を回動且回動可能に取り付けてある。
【００１６】
１８は足部で、前記腰部６の斜嵌合穴部９に着脱且回動可能に嵌合させる円形をした斜嵌合凸部１９を上部に斜め状に設けてあり、さらに、股部８よりやや下方に位置した下端に円形状に形成した嵌合穴部２０を設けた上太股部２１と、該嵌合穴部２０に着脱且回動可能に嵌合させる嵌合凸部２３を上面に円形状に設けてあり、且つ、下部に足首部２２ａを一体に設けて略直線状に設けた脚部２２とで前記足部１８を形成してある。
【００１７】
次に、座りポーズをした人形である第２素体Bについて説明すると、第１素体Ａおよび第２素体Ｂにおいて、同じ符号は同じ物を表しており、柔軟な合成樹脂材からなる胴部、腕部、足部は前記第１素体Ａと同様にそれぞれ二部品以上からなり、各嵌合部は部品ごと、例えば、腕部を構成する部品どうし、足部を構成する部品どうし、胴部を構成する部品どうしの寸法をそれぞれ同じに形成して着脱且回動可能に構成してある。
【００１８】
背中及び腰を前かがみにした座りポーズの人形である第２素体Bの胴部１ａは胸部２ａ及び腰部６ａも前かがみに丸まった状態に形成してあり、該胸部２ａの上部両側には正面から見て斜め状に形成した斜平坦面３、３に嵌合穴部４を設け、また、該胸部の下部には下方に突出して円形をした嵌合凸部５を形成してある。胸部２ａの上部に交換可能に取り付ける人形の顔を有した頭部は省略してある。さらに、前かがみ状態をした胸部２ａの下部分から股部８までの長さで、同じく前かがみに丸まった形状の腰部６ａの上面に円形をした嵌合穴部７を設け、また、下部に形成した股部８の両側から斜め上方に略Ｖ字状に形成した斜端面６ｄ、６ｄに円形状をした斜嵌合穴部９、９を形成してある。
【００１９】
１０ａは腕部で、前記胸部２ａの上部両側に設けた嵌合穴部４に着脱且回動可能に嵌合させる嵌合凸部１１を、腕部をなす肩部１２の上部内側に設け、肩と腕上部とからなる短い肩部１２と、略くの字状に折り曲げたアーム部１４ａとからなる。この肩部１２は腕部の上部をなすもので、その下端に円形状をした嵌合穴部１３を設け、さらに、前記アーム部１４ａの上部に設けた円形状の嵌合凸部１５を、前記腕部１２の嵌合穴部１３に着脱且回動可能に連結して該腕部１０ａを形成してある。アーム部１４ａの下端に設けた開口部１６に、指先を伸ばすなど任意の形状をした手首部１７ａを着脱且回動可能に差し込んで取り付けてある。
【００２０】
１８ａは足部で、前記腰部６ａの斜嵌合穴部９に着脱且回動可能に嵌合させて円形をした斜嵌合凸部１９を上部に斜め状に設け、さらに、前記股部８のやや下方に位置して下端に円形状に設けた嵌合穴部２０を有した上太股部２１と、該嵌合穴部２０に着脱且回動可能に嵌合させる嵌合凸部２３を上面中央に円形状に設け、さらに、膝関節部の下位置に該上脚部の長手方向に対して略５０〜７０度、好ましくは６０度の角度Ｑをなすような平面に形成した膝下部２５に円形状をした嵌合穴部２６を設けてある。この嵌合穴部２６に着脱且回動可能に連結する嵌合凸部２８を上部に円形状に形成すると共に、下端に足首部２７ａを一体に形成した下脚部２７とで前記角度に折り曲げた状態の足部１８ａを形成してある。
【００２１】
各嵌合凸部は各嵌合穴部への着脱を容易にするため、端部壁面にＶ溝またはその他の形状をした切込３０をそれぞれ形成してある。そのため、軟質樹脂材とはいっても相当に硬い材質の嵌合凸部の変形を容易にし嵌合穴部に着脱できるようにしてある。その上、この嵌合凸部及び嵌合穴部はそれぞれ円形状に形成して同心に形成してあるから回動させることができ、該嵌合部である接合面を任意にずらせて微妙なポーズを作ることができる。また、嵌合穴部及び嵌合凸部は略密着して嵌合しているので両軟質樹脂材の摩擦力により当該位置に保持することができる。
【００２２】
次に、本実施形態の作用について説明すると、図１１の形をした人形は、第１素体Ａの胸部２と腰部６とからなる胴部１と、両腕部１０、１０と、回動させて角度を変えた手首部１７、１７と、両太股部２１、２１を使用し、ついで、第２素体Ｂの上股部２４、２４と、下脚部２７、２７とを用いて組み立ててある。この場合、上太股部２１、２１は第１、２素体Ａ、Ｂの共通部品である。そして、上太股部２１の嵌合穴部２０、２０に嵌合させた足部１８ａ、１８ａの上脚部２４の上部に設けた嵌合凸部２３を回動させて該膝下面２５に連結した下脚部２７、２７をそれぞれ外方に回動させて略水平にすれば、床面に座らせることができる。この状態を床面の下側から見ると図１２に示したようになる。
【００２３】
図１３に示すように、椅子などに腰掛けた場合に、両下脚部２７、２７を略垂直にした状態（一点鎖線で示す）から、この下脚部２７、２７に連結した上脚部２４、２４を上太股部の嵌合穴部２０を中心にそれぞれ外方に回動させれば図１３に実線で示すように床面と同じ面に接するように角度を変化させて略水平にしたポーズにすることができる。図１４は、腰部６の斜端面６ｄ、６ｄに設けた斜嵌合穴部９を示してある。
【００２４】
図１５に示す別のポーズをした人形は、第１素体Ａの一方の足ｂ１８を腰部６の斜嵌合穴部９から取り外し、第２素体Ｂの折り曲げた足部１８ａ、即ち、下脚部２７と上脚部２４と上太股部２１とからなり、膝部分が略５０〜７０度、好ましくは６０度に折り曲げて該膝を立ち上げた状態のポーズにしてある。この場合、人形の安定性を高めるため、肩部１２を少し後方に回動させてアーム部１４を肩部の下に設けた嵌合穴部１３内を回動させて該アーム部の向きを変えて下端部を後方に移動し、且つ、該アーム部の先端部に取り付けた手首部１７の向きを後方に変更すれば、この手首部１７で胴部１を支えるためこのポーズをした人形は倒れることなくこの姿勢を保つことができる。そのためカメラなどで自分の好む角度から当該ポーズをした人形（フィギュア）の写真を撮影したり、陳列して飾って置くことができる。
【００２５】
ポーズを変える際、人の場合は体表面の皮膚は伸び縮みできるので腕部や足部や胴部を捻っタポーズを取ることができる。しかし、樹脂製の人形の場合は、人形表面の伸び縮みできる部材を使用した場合には、内部の補強構造が複雑になり高価な人形になってしまう。また、樹脂材で人形を作る場合、本考案は、胴部、腕部、足部の比較的目立たない中間部分に着脱且回動部分を設けてあり、胴部や腕部や足部の中間部分を回動させて角度を変えることができるため、腕部や足部や胴部を捻ったポーズを設けることができ広い範囲で無限にポーズを変化させることができる。その結果、この種の人形コレクターは気に入った人形（フィギュア）を自分の好みのポーズに変形させることができ、極めて満足感を得ることができるという利点がある。
【００２６】
本実施形態では、第１素体Ａと第２素体Ｂの二種類の人形素体を使用して種々のポーズに変化させる場合について説明したが、その他、寝そべったり、運動している形をした人形素体などをさらに加えることもできる。このように、形状が相違する複数の人形素体を用いることにより、形状の異なる腕部や足部や胴部の内のそれぞれ希望する形をしたパーツ（部品）を用いて嵌合させて組合わせることにより一段とポーズを変化させることができる。
【００２７】
さらに、第１の素体Ａと第２の素体Ｂを構成する各胴部と腕部と足部をそれぞれ構成する２以上のパーツ（部品）の形状を変えて、各パーツの種類を増加させることにより、より自分好みの形状をしたポーズのフィギュアを形成することができる。この場合、形状の異なる人形素体を購入するのではなく、腕部や足部や胴部の形状の異なるパーツ（部品）の内、自分の希望するパーツのみを購入することによって人形のポーズを変化させることができ、且つ、購入コストを安価にできるためその分パーツの購入がしやすくなりコレクターにとっては極めて好ましい。
【００２８】
ここで、各パーツ（部品）が異なる場合とは、例えば、胴部の場合は、胸を大きくグラマーにしたり、また胸を小さくして知的な感じにしたり、さらには、腰部を大きくしてより肉感的に見えるようにしたり或は腰部を細くしてパンツルックが似合う腰周りの形に変化させたり、さらにまた、嵌合部の寸法を変えることなく胸部や腰部をやや長くしたりあるいは短くすることを意味する。このことは、腕部や足部の場合も同等で、折り曲げ角度を違えたり、腕や足の各部の太さを太くしたり細くしたり、更には、ややや長くしたり短くすることも意味する。このように各パーツの種類を増やすことによっても人形全体のポーズの変化を拡大させることができるという利点がある。
【図面の簡単な説明】
【００２９】
【図１】人形の頭部を取外した立ちポーズ人形の正面図である。
【図２】図１の左側面図である。
【図３】腕の取り付け部分の要部拡大破断面図である。
【図４】腰部分の拡大断面図である。
【図５】腰部の断面図である。
【図６】一方の上太股部と下太股部及び下肢部を取外した図１のＸ矢視図である。
【図７】上太股部と下太股部及び下肢部を略直線状に設けた足部の正面図である。
【図８】人形の頭部を取外した座りポーズ人形の正面図である。
【図９】図８の左側面図である。
【図１０】座りポーズ人形の腕部を外した足部の分解図である。
【図１１】下肢部を下方に回動させて変化させた状態の説明図である。
【図１２】図１１を底面から見た説明図である。
【図１３】上太股部の連結穴部を中心に太股部および脚部を回動させた状態の説明図である。
【図１４】一方の略直線状の足部と、他方の折り曲げた状態の足部とをそれぞれ連結させたポーズの斜視図である。
【図１５】水平方向に位置させた上太股部を先端側から見た正面図である。
【符号の説明】
【００３０】
１      胴部
１ａ    第２の胴部
２      胸部
２ａ    第２の胸部
３      斜平坦面
４      嵌合穴部
５      嵌合凸部
６      腰部
６ａ    第２の腰部
６ｄ    斜端面
７      嵌合穴部
８      股部
９      斜嵌合穴部
１０      腕部
１０ａ    第２の腕部  
１１      嵌合凸部
１２      肩部
１３      嵌合穴部
１４      アーム部
１４ａ    第２のアーム部
１５      嵌合凸部
１７      手首部
１７ａ    第２の手首部
１８      足部
１８ａ    第２の足部
１９      斜嵌合凸部
２０      嵌合穴部
２１      上太股部
２２      脚部
２３      嵌合凸部
２４      上脚部
２５      膝下部
２６      嵌合穴部
２７      下脚部
２８      嵌合凸部
Ａ      第１の素体
Ｂ      第２の素体
【図１】
0003118758.tif 000003
【図２】
0003118758.tif 000004
【図３】
0003118758.tif 000005
【図４】
0003118758.tif 000006
【図５】
0003118758.tif 000007
【図６】
0003118758.tif 000008
【図７】
0003118758.tif 000009
【図８】
0003118758.tif 000010
【図９】
0003118758.tif 000011
【図１０】
0003118758.tif 000012
【図１１】
0003118758.tif 000013
【図１２】
0003118758.tif 000014
【図１３】
0003118758.tif 000015
【図１４】
0003118758.tif 000016
【図１５】
0003118758.tif 000017